(57)【要約】【課題】カスタマイズ可能表示画面経由の制御において不正な電源状況での作業を防止する。【解決手段】画像形成部と、状態表示や指示受付用表示のための表示画面を表示する表示部と、各部に電源を供給する電源部と、画像形成部の画像形成と表示部の表示と電源部による電源供給とを制御する制御部と、を有し、表示部に表示画面を表示する表示機能として、画像形成に関する状態表示や指示受付用表示のために予め用意されている既定表示画面を表示する第１表示機能と、通常の画像形成以外の動作に関する状態表示や指示受付用表示のために任意に変更可能なカスタマイズ可能表示画面を表示する第２表示機能と、を備え、第２表示機能によりカスタマイズ可能表示画面を表示部に表示している際に、画像形成装置のいずれかの部位に状態変化が発生した場合には、各部位毎の電源部による電源供給状況を確認し、該電源供給状況を所定状況に制御する。【選択図】図１
2015202605.tif 000002
【特許請求の範囲】
【請求項１】
画像を形成する画像形成部と、
画像形成に関する状態表示や指示受付用表示のための表示画面を表示する表示部と、
画像形成装置内の各部に電源を供給する電源部と、
前記画像形成部の画像形成と前記表示部の表示と前記電源部による電源供給とを制御する制御部と、
を有する画像形成装置であって、
前記制御部は、
前記表示部に表示画面を表示する表示機能として、画像形成に関する状態表示や指示受付用表示のために予め用意されている既定表示画面を表示する第１表示機能と、
通常の画像形成以外の動作に関する状態表示や指示受付用表示のために任意に変更可能なカスタマイズ可能表示画面を表示する第２表示機能と、を備え、
前記第２表示機能により前記カスタマイズ可能表示画面を前記表示部に表示している際に、画像形成装置のいずれかの部位に状態変化が発生した場合には、各部位毎の前記電源部による電源供給状況を確認し、該電源供給状況を所定状況に制御する、
ことを特徴とする画像形成装置。
【請求項２】
前記制御部は、
前記第２表示機能により前記カスタマイズ可能表示画面を前記表示部に表示している際に、画像形成装置に挿抜可能に接続されている要素の取り外しが前記状態変化として発生した場合に、電源オフの前記部位を電源オンになるように制御する、
ことを特徴とする請求項１に記載の画像形成装置。
【請求項３】
前記要素は、前記カスタマイズ可能表示画面を実現するためのデータを前記制御部に伝達する記憶部又は通信部である、
ことを特徴とする請求項２に記載の画像形成装置。
【請求項４】
前記制御部は、
通常の画像形成以外の動作を開始するか又は終了するかの指示が、前記カスタマイズ可能表示画面を介して前記状態変化として発生した場合に、画像形成装置内の電源オフの前記部位を電源オンになるように制御する、
ことを特徴とする請求項１乃至請求項３のいずれか一項に記載の画像形成装置。
【請求項５】
前記制御部は、
前記カスタマイズ可能表示画面を介して動作の終了の指示が前記状態変化として発生した場合に、画像形成装置内の電源オフの前記部位を電源オンになるように制御した後に、前記カスタマイズ可能表示画面を終了させるよう制御する、
ことを特徴とする請求項４に記載の画像形成装置。
【請求項６】
前記制御部は、
通常の画像形成以外の動作を開始する指示が、前記カスタマイズ可能表示画面を介して前記状態変化として発生した場合に、画像形成装置内の各部位の電源供給状況を検知して保持しておき、
前記第２表示機能により前記カスタマイズ可能表示画面を前記表示部に表示している際に、画像形成装置のいずれかの部位に状態変化が発生した場合には、前記各部位について保持された前記電源供給状況に戻すよう制御する、
ことを特徴とする請求項１に記載の画像形成装置。
【請求項７】
前記制御部は、
前記カスタマイズ可能表示画面を実現するためのデータを前記制御部に伝達する記憶部若しくは通信部の取り外し、又は、前記カスタマイズ可能表示画面を介した動作の終了の指示発生、のいずれかを前記状態変化であるとして、前記各部位について保持された前記電源供給状況に戻すよう制御する、
ことを特徴とする請求項６に記載の画像形成装置。
【請求項８】
前記制御部は、
前記既定表示画面を制御する装置制御ファームウエアと、
前記装置制御ファームウエアとは別プロセスにより前記カスタマイズ可能表示画面を制御するウェブ表示画面アプリケーションと、
を有することを特徴とする請求項１乃至請求項７のいずれか一項に記載の画像形成装置。
【請求項９】
請求項１乃至請求項８のいずれか一項に記載の画像形成装置と、
前記画像形成装置に接続される給紙装置又は後処理装置の少なくとも一方と、
を有する画像形成システムであって、
前記画像形成装置に含まれる制御部は、前記画像形成システム内のいずれかの部位に状態変化が発生した場合に、前記部位毎の電源部による電源供給状況を確認し、該電源供給状況を所定状況に制御する、
ことを特徴とする画像形成システム。
【請求項１０】
画像を形成する画像形成部と、画像形成に関する状態表示や指示受付用表示のための表示画面を表示する表示部と、画像形成装置内の各部に電源を供給する電源部と、前記画像形成部の画像形成と前記表示部の表示と前記電源部による電源供給とを制御する制御部と、を有する画像形成装置を制御する画像形成制御方法であって、
前記制御部は、前記表示部に表示画面を表示する表示機能として、画像形成に関する状態表示や指示受付用表示のために予め用意されている既定表示画面を表示する第１表示機能と、通常の画像形成以外の動作に関する状態表示や指示受付用表示のために任意に変更可能なカスタマイズ可能表示画面を表示する第２表示機能と、を備えており、
前記第２表示機能により前記カスタマイズ可能表示画面を前記表示部に表示している際に、画像形成装置のいずれかの部位に状態変化が発生した場合には、各部位毎の前記電源部による電源供給状況を確認し、該電源供給状況を所定状況に制御する、
ことを特徴とする画像形成制御方法。
【請求項１１】
前記第２表示機能により前記カスタマイズ可能表示画面を前記表示部に表示している際に、画像形成装置に挿抜可能に接続されている要素の取り外しが前記状態変化として発生した場合に、前記制御部は、電源オフの前記部位を電源オンになるように制御する、
ことを特徴とする請求項１０に記載の画像形成制御方法。
【請求項１２】
前記カスタマイズ可能表示画面を実現するためのデータを前記制御部に伝達する記憶部又は通信部のいずれかについての取り外しが、前記要素の取り外しによる前記状態変化として、前記制御部により検知される、
ことを特徴とする請求項１０に記載の画像形成制御方法。
【請求項１３】
通常の画像形成以外の動作を開始するか又は終了するかの指示が、前記カスタマイズ可能表示画面を介して前記状態変化として発生した場合に、前記制御部は、画像形成装置内の電源オフの前記部位を電源オンになるように制御する、
ことを特徴とする請求項１０乃至請求項１２のいずれか一項に記載の画像形成制御方法。
【請求項１４】
前記カスタマイズ可能表示画面を介して動作の終了の指示が前記状態変化として発生した場合に、前記制御部は、画像形成装置内の電源オフの前記部位を電源オンになるように制御した後に、前記カスタマイズ可能表示画面を終了させるよう制御する、
ことを特徴とする請求項１３に記載の画像形成制御方法。
【請求項１５】
通常の画像形成以外の動作を開始する指示が、前記カスタマイズ可能表示画面を介して前記状態変化として発生した場合に、
画像形成装置内の各部位の電源供給状況を前記制御部が検知して保持しておき、
前記第２表示機能により前記カスタマイズ可能表示画面を前記表示部に表示している際に、画像形成装置のいずれかの部位に状態変化が発生した場合には、前記制御部は、前記各部位について保持された前記電源供給状況に戻すよう制御する、
ことを特徴とする請求項１０に記載の画像形成制御方法。
【請求項１６】
前記カスタマイズ可能表示画面を実現するためのデータを前記制御部に伝達する記憶部若しくは通信部の取り外し、又は、前記カスタマイズ可能表示画面を介した動作の終了の指示発生、のいずれかを前記状態変化であるとして、前記制御部は、前記各部位について保持された前記電源供給状況に戻すよう制御する、
ことを特徴とする請求項１５に記載の画像形成制御方法。
【請求項１７】
画像形成装置に対して給紙装置又は後処理装置の少なくとも一方が接続された画像形成システムを制御する画像形成制御方法であって、
前記画像形成装置に含まれる制御部は、前記画像形成システム内のいずれかの部位に状態変化が発生した場合に、前記部位毎の電源部による電源供給状況を確認し、該電源供給状況を所定状況に制御する、
ことを特徴とする請求項１０乃至請求項１６のいずれか一項に記載の画像形成制御方法。
【請求項１８】
装置制御ファームウエアにより前記既定表示画面を制御し、
ウェブ表示画面アプリケーションにより前記装置制御ファームウエアとは別プロセスで前記カスタマイズ可能表示画面を制御する、
を有することを特徴とする請求項１０乃至請求項１７のいずれか一項に記載の画像形成制御方法。
【請求項１９】
画像形成装置を制御する画像形成制御装置であって、
画像形成に関する状態表示や指示受付用表示のための表示画面を表示する表示部と、
前記表示部の表示と前記画像形成装置内の電源供給とを制御する制御部と、を有し、
制御部は、
表示部に表示画面を表示する表示機能として、画像形成に関する状態表示や指示受付用表示のために予め用意されている既定表示画面を表示する第１表示機能と、通常の画像形成以外の動作に関する状態表示や指示受付用表示のために任意に変更可能なカスタマイズ可能表示画面を表示する第２表示機能と、
を備え、
前記第２表示機能により前記カスタマイズ可能表示画面を前記表示部に表示している際に、前記画像形成装置のいずれかの部位に状態変化が発生した場合には、前記画像形成装置の各部位毎の前記電源部による電源供給状況を確認し、該電源供給状況を所定状況に制御する、
ことを特徴とする画像形成制御装置。
【請求項２０】
前記制御部は、
通常の画像形成以外の動作を開始するか又は終了するかの指示が、前記カスタマイズ可能表示画面を介して前記状態変化として発生した場合に、画像形成装置内の電源オフの前記部位を電源オンになるように制御する、
ことを特徴とする請求項１９に記載の画像形成制御装置。
【請求項２１】
前記制御部は、
前記カスタマイズ可能表示画面を介して動作の終了の指示が前記状態変化として発生した場合に、画像形成装置内の電源オフの前記部位を電源オンになるように制御した後に、前記カスタマイズ可能表示画面を終了させるよう制御する、
ことを特徴とする請求項２０に記載の画像形成制御装置。
【請求項２２】
前記制御部は、
通常の画像形成以外の動作を開始する指示が、前記カスタマイズ可能表示画面を介して前記状態変化として発生した場合に、画像形成装置内の各部位の電源供給状況を検知して保持しておき、
前記第２表示機能により前記カスタマイズ可能表示画面を前記表示部に表示している際に、画像形成装置のいずれかの部位に状態変化が発生した場合には、前記各部位について保持された前記電源供給状況に戻すよう制御する、
ことを特徴とする請求項１９に記載の画像形成制御装置。
【請求項２３】
前記制御部は、
前記カスタマイズ可能表示画面を介した動作の終了の指示発生を前記状態変化であるとして、前記各部位について保持された前記電源供給状況に戻すよう制御する、
ことを特徴とする請求項２２に記載の画像形成制御装置。
【請求項２４】
画像形成装置に対して給紙装置又は後処理装置の少なくとも一方が接続された画像形成システムを制御する画像形成制御装置であって、
前記画像形成システム内のいずれかの部位に状態変化が発生した場合に、前記部位毎の電源部による電源供給状況を確認し、該電源供給状況を所定状況に制御する、
ことを特徴とする請求項１９乃至請求項２３のいずれか一項に記載の画像形成制御装置。
【発明の詳細な説明】
【技術分野】
【０００１】
本発明は、画像形成装置、画像形成システム、画像形成制御方法及び画像形成制御装置に関し、特に、装置制御ファームウエアにより制御される表示画面とプロセスにより制御されてカスタマイズ可能なカスタマイズ可能表示画面を用いたメンテナンス等における各種の状態で適切な制御を行う技術に関する。
【背景技術】
【０００２】
画像形成装置において各種動作はＣＰＵ（Central Processing Unit）等の制御部により制御されている。そして、この制御部は、インストールされているオペレーティングシステム（Operating System）または装置制御ファームウエア (Firmware) 等に基づいて、画像形成装置の制御プログラムに従って、画像形成装置を構成する各部を制御して、各種の演算処理を行うことによって、画像形成装置を統括的に制御する。
【０００３】
ここで、画像形成装置の操作パネル等の操作表示部に表示される各種の表示画面は、装置制御ファームウエアにより管理されている。
一方、オペレーティングシステム上で装置制御ファームウエアとは別のプロセスとしてウェブブラウザを動作させるようにして、HTML等のマークアップ言語により記述された内容を描画して表示させることが可能である。このようにウェブブラウザにより表示させる表示画面は、ユーザ等が任意にカスタマイズすることが可能であるため、カスタマイズ可能表示画面と呼ぶことができる。
【０００４】
なお、以下、装置制御ファームウエアにより管理されて用意されている予め用意されている表示画面を、カスタマイズ可能表示画面と区別する意味で「既定表示画面」と呼ぶ。
すなわち、画像形成装置においては、装置制御ファームウエアにより予め作成されている既存の既定表示画面の他に、カスタマイズ可能表示画面を表示部に表示させることが可能になっている。
【０００５】
このようなカスタマイズ可能表示画面としては、メンテナンス作業等におけるヘルプ画面（メンテナンス作業の手順の表示画面）のように文字や画像を表示することを主目的としたものの他に、操作部のボタンやアイコン押下に連動して所定のコマンドを送出したり、装置の状態を取得して画面に表示すること、などが可能である。
【０００６】
なお、画像形成装置のメンテナンスとしては、高電圧が印加された状態で電流が流れているユニット等の交換作業も含まれる。
その際にはメンテナンス手順に含まれないユニットまたは感電の危険性がないユニット（操作部パネルや制御基板等）の電源はオンにしたまま、メンテナンス手順に含まれ、感電の恐れのあるユニット（定着や感光体等）のみの電源をオフにすることがある。そして、メンテナンス対象のユニット交換完了後に、ユニットへの電源を入れ通常状態へ戻すといったように画像形成装置内の特定の画像形成装置プロセスユニットに対し、電源供給を切り替えながら交換作業を行うモード（以下メンテナンスモード）が用意されている。
【０００７】
しかしメンテナンスを行う際にはマニュアルを見ながら設定を行う為に階層の深い設定画面を行き来しなければならず手順が複雑化している。
そこで、通常の既定表示画面とは別に、ユーザがカスタマイズ可能な表示画面としてカスタマイズ可能表示画面を用いることが提案されている。
【０００８】
すなわち、この問題を解決する為に、任意に作成できる画像形成装置のメンテナンス手順等をガイダンスするカスタマイズ可能表示画面用のＵＩデータを外部記憶装置から読込み、メンテナンス対象の画像形成装置の表示部でカスタマイズ可能表示画面として表示すると共に、画像形成装置はＵＩデータの指示に従い任意の画面を表示したり、電源の制御ができるようにする機能（以下、「カスタムＵＩ」）が提供されている。
【０００９】
なお、既定表示画面は装置制御ファームウエアにより管理されているものであるのに対し、カスタマイズ可能表示画面は装置制御ファームウエアとは別プロセスのウェブブラウザ等により管理されるもので、管理手法が全く異なっているものである。
【００１０】
なお、装置制御ファームウエアにより管理される通常の既定表示画面の他に、カスタマイズ可能表示画面を表示しようとする試みは、以下の特許文献に各種の提案がなされている。
【先行技術文献】
【特許文献】
【００１１】
【特許文献１】特開2009-123009号公報
【発明の概要】
【発明が解決しようとする課題】
【００１２】
以上の特許文献では、各ユーザの好みのユーザインターフェイスを複数の画像形成装置において実現できるシステムを実現すべく、画面カスタマイズを行う場合で新旧の画像形成装置が混在している場合において、画面カスタマイズ情報内に自機で利用できない指定が入っている場合、カスタマイズ情報から前記指定を削除することで、利用できる指定のみを自動的に抽出してカスタム画面を生成するように制御している。
【００１３】
ところで、画像形成装置のメンテナンス時のチャート出力やメンテナンス後に通常使用するため、メンテナンス作業の開始時と終了時は機器の電源状況は通常状態（全てのユニットへ電源が入っている状態）である必要がある。
【００１４】
従来のメンテナンスモードでは画像形成装置側で決められた順序でしか画面の遷移ができず、メンテナンス作業の開始時と終了時には必ず全てのユニットの電源をONにする制御が含まれる為、機械の電源状況が通常状態であることが保障されている。
【００１５】
しかし、ユーザが管理するカスタムＵＩからは画像形成装置に対し任意の画面表示指示及び電源制御指示が可能な為、電源状況が通常状態でない状態でもメンテナンス作業の開始/終了時の画面へ遷移できてしまう。
【００１６】
また、カスタムＵＩ機能では特定のユニットの電源をOFFにした後、データの破損や外部記憶装置の引き抜き等でその後の手順を表示できなくなった場合、電源をOFFにしたユニットの電源をONの状態へ戻すことができなくなる問題がある。
【００１７】
また、ガイダンスするＵＩデータ作成者が特定のユニットの電源をONにする手順を入れ忘れた場合、同じく特定のユニットの電源をONの状態へ戻すことができなくなる。
上記のような場合メンテナンス時に必要なチャート出力やメンテナンス後に通常使用できないという問題がある。そして、上述した特許文献にも、このような電源の問題については、何ら配慮されていない。
【００１８】
本発明はこのような課題に鑑みてなされたものであって、メンテナンス等のカスタマイズ可能表示画面経由の制御において不正な電源状況での作業を防止して、メンテナンス時のチャート出力やメンテナンス後の通常使用に悪影響を与えることがない、画像形成装置、画像形成システム、画像形成制御方法及び画像形成制御装置を実現することを目的とする。
【課題を解決するための手段】
【００１９】
すなわち、前記した課題を解決する本発明の一態様は、以下の通りである。
（１）画像を形成する画像形成部と、画像形成に関する状態表示や指示受付用表示のための表示画面を表示する表示部と、画像形成装置内の各部に電源を供給する電源部と、前記画像形成部の画像形成と前記表示部の表示と前記電源部による電源供給とを制御する制御部と、を有する画像形成装置、画像形成システム、画像形成制御方法及び画像形成制御装置であって、前記制御部は、前記表示部に表示画面を表示する表示機能として、画像形成に関する状態表示や指示受付用表示のために予め用意されている既定表示画面を表示する第１表示機能と、通常の画像形成以外の動作に関する状態表示や指示受付用表示のために任意に変更可能なカスタマイズ可能表示画面を表示する第２表示機能と、を備え、前記第２表示機能により前記カスタマイズ可能表示画面を前記表示部に表示している際に、画像形成装置のいずれかの部位に状態変化が発生した場合には、各部位毎の前記電源部による電源供給状況を確認し、該電源供給状況を所定状況に制御する、ことを特徴とする。
【００２０】
（２）上記（１）において、前記制御部は、前記第２表示機能により前記カスタマイズ可能表示画面を前記表示部に表示している際に、画像形成装置に挿抜可能に接続されている要素の取り外しが前記状態変化として発生した場合に、電源オフの前記部位を電源オンになるように制御する。
【００２１】
（３）上記（２）において、前記要素は、前記カスタマイズ可能表示画面を実現するためのデータを前記制御部に伝達する記憶部又は通信部である。
（４）上記（１）−（３）において、前記制御部は、通常の画像形成以外の動作を開始するか又は終了するかの指示が、前記カスタマイズ可能表示画面を介して前記状態変化として発生した場合に、画像形成装置内の電源オフの前記部位を電源オンになるように制御する。
【００２２】
（５）上記（４）において、前記制御部は、前記カスタマイズ可能表示画面を介して動作の終了の指示が前記状態変化として発生した場合に、画像形成装置内の電源オフの前記部位を電源オンになるように制御した後に、前記カスタマイズ可能表示画面を終了させるよう制御する。
【００２３】
（６）上記（１）において、前記制御部は、通常の画像形成以外の動作を開始する指示が、前記カスタマイズ可能表示画面を介して前記状態変化として発生した場合に、画像形成装置内の各部位の電源供給状況を検知して保持しておき、前記第２表示機能により前記カスタマイズ可能表示画面を前記表示部に表示している際に、画像形成装置のいずれかの部位に状態変化が発生した場合には、前記各部位について保持された前記電源供給状況に戻すよう制御する。
【００２４】
（７）上記（６）において、前記制御部は、前記カスタマイズ可能表示画面を実現するためのデータを前記制御部に伝達する記憶部若しくは通信部の取り外し、又は、前記カスタマイズ可能表示画面を介した動作の終了の指示発生、のいずれかを前記状態変化であるとして、前記各部位について保持された前記電源供給状況に戻すよう制御する。
【００２５】
（８）上記（１）−（７）において、前記制御部は、前記既定表示画面を制御する装置制御ファームウエアと、前記装置制御ファームウエアとは別プロセスにより前記カスタマイズ可能表示画面を制御するウェブ表示画面アプリケーションと、を有する。
【発明の効果】
【００２６】
本発明によると、以下のような効果が得られる。
（１）この発明では、表示部に表示画面を表示する表示機能として、画像形成に関する状態表示や指示受付用表示のために予め用意されている既定表示画面を表示する第１表示機能と、通常の画像形成以外の動作に関する状態表示や指示受付用表示のために任意に変更可能なカスタマイズ可能表示画面を表示する第２表示機能と、を備え、第２表示機能によりカスタマイズ可能表示画面を表示部に表示している際に、画像形成装置のいずれかの部位に状態変化が発生した場合には、各部位毎の電源部による電源供給状況を確認し、該電源供給状況を所定状況に制御する。これにより、メンテナンス等のカスタマイズ可能表示画面経由の制御において、不正な電源状況での作業を防止して、メンテナンス時のチャート出力やメンテナンス後の通常使用に悪影響を与えることがなくなる。
【００２７】
（２）上記（１）において、制御部は、第２表示機能によりカスタマイズ可能表示画面を表示部に表示している際に、画像形成装置に挿抜可能に接続されている要素の取り外しが状態変化として発生した場合に、電源オフの部位を電源オンになるように制御する。すなわち、メンテナンス作業などの制御を終了する際に、電源を通常の状況に戻している。これにより、メンテナンス等のカスタマイズ可能表示画面経由の制御において、不正な電源状況での作業を防止して、メンテナンス時のチャート出力やメンテナンス後の通常使用に悪影響を与えることがなくなる。
【００２８】
（３）上記（２）において、要素は、カスタマイズ可能表示画面を実現するためのデータを制御部に伝達する記憶部又は通信部である。すなわち、カスタマイズ可能表示画面が表示できなくなってメンテナンス作業などの制御を終了する際に、電源を通常の状況に戻している。これにより、メンテナンス等のカスタマイズ可能表示画面経由の制御において、不正な電源状況での作業を防止して、メンテナンス時のチャート出力やメンテナンス後の通常使用に悪影響を与えることがなくなる。
【００２９】
（４）上記（１）−（３）において、通常の画像形成以外の動作を開始するか又は終了するかの指示が、カスタマイズ可能表示画面を介して状態変化として発生した場合に、画像形成装置内の電源オフの部位を電源オンになるように制御する。すなわち、メンテナンス作業などの制御を開始する際と終了する際に、電源を通常の状況に戻している。これにより、メンテナンス等のカスタマイズ可能表示画面経由の制御において、不正な電源状況での作業を防止して、メンテナンス時のチャート出力やメンテナンス後の通常使用に悪影響を与えることがなくなる。
【００３０】
（５）上記（４）において、制御部は、カスタマイズ可能表示画面を介して動作の終了の指示が状態変化として発生した場合に、画像形成装置内の電源オフの部位を電源オンになるように制御した後に、カスタマイズ可能表示画面を終了させるよう制御する。すなわち、電源を通常の状況に戻してからメンテナンス作業などの制御を終了している。これにより、メンテナンス等のカスタマイズ可能表示画面経由の制御において、不正な電源状況での作業を防止して、メンテナンス時のチャート出力やメンテナンス後の通常使用に悪影響を与えることがなくなる。
【００３１】
（６）上記（１）において、通常の画像形成以外の動作を開始する指示が、カスタマイズ可能表示画面を介して状態変化として発生した場合に、画像形成装置内の各部位の電源供給状況を検知して保持しておき、第２表示機能によりカスタマイズ可能表示画面を表示部に表示している際に、画像形成装置のいずれかの部位に状態変化が発生した場合には、各部位について保持された電源供給状況に戻すよう制御する。すなわち、メンテナンス作業などの制御を開始する際の電源状況を保持し、メンテナンス作業などの制御を終了する際には、保持した電源の状況に戻している。これにより、メンテナンス等のカスタマイズ可能表示画面経由の制御において、不正な電源状況での作業を防止して、メンテナンス時のチャート出力やメンテナンス後の通常使用に悪影響を与えることがなくなる。
【００３２】
（７）上記（６）において、制御部は、カスタマイズ可能表示画面を実現するためのデータを制御部に伝達する記憶部若しくは通信部の取り外し、又は、カスタマイズ可能表示画面を介した動作の終了の指示発生、のいずれかを状態変化であるとして、各部位について保持された電源供給状況に戻すよう制御する。すなわち、メンテナンス作業などの制御を開始する際の電源状況を保持し、メンテナンス作業などの制御を終了する際には、保持した電源の状況に戻している。これにより、メンテナンス等のカスタマイズ可能表示画面経由の制御において、不正な電源状況での作業を防止して、メンテナンス時のチャート出力やメンテナンス後の通常使用に悪影響を与えることがなくなる。
【００３３】
（８）上記（１）−（７）において、既定表示画面を制御する装置制御ファームウエアと、装置制御ファームウエアとは別プロセスによりカスタマイズ可能表示画面を制御するウェブ表示画面アプリケーションと、を有する。このため、装置制御ファームウエアにより管理される既定表示画面と、別プロセスのカスタマイズ可能表示画面との間で、ウェブ表示画面アプリケーションによる装置制御ファームウエアに対する画面呼び出しにおいて、連携した制御が実行され、既定表示画面とカスタマイズ可能表示画面とを表示できる場合に、カスタマイズ可能表示画面側から画像形成装置の各種の機能を容易に制御することが可能になる。
【図面の簡単な説明】
【００３４】
【図１】本発明の実施形態の画像形成システムの構成を示すブロック図である。
【図２】本発明の実施形態の画像形成システムの外観構成を示す構成図である。
【図３】本発明の実施形態の画像形成システムの構成を示す構成図である。
【図４】本発明の実施形態の画像形成装置の主要部の構成を示すブロック図である。
【図５】本発明の実施形態の画像形成装置の画面表示を示す説明図である。
【図６】本発明の実施形態の画像形成装置の画面表示を示す説明図である。
【図７】本発明の実施形態の画像形成装置の画面表示を示す説明図である。
【図８】本発明の実施形態の画像形成装置の画面表示を示す説明図である。
【図９】本発明の実施形態の画像形成装置の動作を示すフローチャートである。
【図１０】本発明の実施形態の画像形成装置の画面表示を示す説明図である。
【図１１】本発明の実施形態の画像形成装置の画面表示を示す説明図である。
【図１２】本発明の実施形態の画像形成装置の画面表示を示す説明図である。
【図１３】本発明の実施形態の画像形成装置の画面表示を示す説明図である。
【図１４】本発明の実施形態の画像形成装置の画面表示を示す説明図である。
【図１５】本発明の実施形態の動作を示すフローチャートである。
【図１６】本発明の実施形態の動作を示すフローチャートである。
【図１７】本発明の実施形態の動作を示すフローチャートである。
【図１８】本発明の実施形態の動作を示すフローチャートである。
【発明を実施するための形態】
【００３５】
以下、図面を参照して本発明を実施するための形態（以下、実施形態）を詳細に説明する。
〔画像形成装置、画像形成システムの構成〕
図１−３は本発明の実施の形態の画像形成装置１００を含む画像形成システムの接続状態やシステム構成を示している。
【００３６】
ここで、給紙装置５０、画像形成装置１００、後処理装置２００、後処理装置３００、後処理装置４００が直列に接続された画像形成システムを構成している。
ここで、直列に接続とは、給紙装置５０から給紙された記録紙に、画像形成装置１００で画像形成され、その画像形成された記録紙が後処理装置２００〜後処理装置４００で順次後処理されることを意味する。
【００３７】
なお、記録紙の流れに沿って上流側を前段、下流側を後段と呼ぶことにする。なお、ここでは、後処理装置２００〜後処理装置４００の３台の後処理装置が直列接続された状態を具体例として示すが、後処理装置の台数は何台であってもよい。
【００３８】
給紙装置５０は、給紙装置５０内の各部を制御する制御部５１と、接続されている他の装置と通信するための通信部５２と、積載された記録紙を指示されたタイミングで送り出す給紙部５５と、給紙装置５０の各部（各ユニット）に電源を供給する電源部５７と、を備えて構成されている。
【００３９】
画像形成装置１００は、画像形成装置１００内の各部を制御すると共に画像形成システムとしてシステム全体を制御する制御部１０１と、接続されている他の装置と通信するための通信部１０２と、各種データを記憶する記憶部１０３と、挿抜可能な外部記憶部や通信部を接続するための接続部１０４と、液晶表示部やタッチパネル等により構成されて利用者に対する表示と操作入力の受け付けを行う操作表示部１０５と、画像形成装置１００内の各部（各ユニット）に電源を供給する電源部１０７と、画像形成のタイミングに合わせて用紙を搬送する搬送部１１０と、原稿の画像を読み取るスキャナ部１２０と、画像形成装置１００で取り扱う画像データや各種情報を不揮発性の記憶装置により蓄積するデータ蓄積部１３０と、画像データに対して圧縮伸長処理やＲＩＰ処理など画像形成に必要な各種画像処理を施す画像処理部１５０と、画像形成命令と画像データとに基づいて画像形成（印刷）を実行する画像形成部１６０と、を備えて構成されている。
【００４０】
なお、接続部１０４には、外部記憶装置や通信部などの、挿抜可能な要素を接続することが可能である。ここで、接続部１０４に接続可能な外部記憶装置としては、ＵＳＢメモリ、ＵＳＢハードディスク装置、ＳＤメモリ、その他各種の記憶装置である。また、外部の記憶装置と通信する挿抜可能な通信部であっても良い。
【００４１】
後処理装置２００は、後処理装置２００内の各部を制御する制御部２０１と、各装置と通信するための通信部２０２と、画像形成装置１００で画像形成された記録紙に制御部２０１の制御に従って各種後処理（パンチ処理、ステイプル処理、バインド処理など）を施す後処理部２０５と、後処理装置２００内の各部（各ユニット）に電源を供給する電源部２０７と、を備えて構成されている。なお、画像形成装置１００あるいは画像形成装置１００からの制御によって後処理部２０５を直接動作させる場合には、制御部２０１を省略することが可能である。
【００４２】
後処理装置３００は、後処理装置３００内の各部を制御する制御部３０１と、各装置と通信するための通信部３０２と、画像形成装置１００で画像形成された記録紙に制御部３０１の制御に従って各種後処理（パンチ処理、ステイプル処理、バインド処理など）を施す後処理部３０５と、後処理装置３００内の各部（各ユニット）に電源を供給する電源部３０７と、を備えて構成されている。なお、画像形成装置１００あるいは画像形成装置１００からの制御によって後処理部３０５を直接動作させる場合には、制御部３０１を省略することが可能である。
【００４３】
後処理装置４００は、後処理装置４００内の各部を制御する制御部４０１と、各装置と通信するための通信部４０２と、画像形成装置１００で画像形成された記録紙に制御部４０１の制御に従って各種後処理（パンチ処理、ステイプル処理、バインド処理など）を施す後処理部４０５と、後処理装置４００内の各部（各ユニット）に電源を供給する電源部４０７と、を備えて構成されている。なお、画像形成装置１００あるいは画像形成装置１００からの制御によって後処理部４０５を直接動作させる場合には、制御部４０１を省略することが可能である。
【００４４】
また、以上の電源部２０７，３０７，４０７については、電源部１０７が後処理装置２００〜後処理装置４００に電源を供給する場合には省略することが可能である。
ここで、図４を参照して、画像形成装置１００の構成について、制御部１０１の内部機能の構成や機能を模式的に説明する。なお、図１−３と同一の構成部分については同一番号を付して、重複した説明を省略する。
【００４５】
図４に示される画像形成装置１００において、制御部１０１は、ＣＰＵ（Central Processing Unit）等により構成されてオペレーティングシステム上の装置制御ファームウエアに基づいて画像形成装置１００内の各部を制御したりアプリケーションプログラムの動作を制御する。
【００４６】
以下の説明において、オペレーティングシステム（Operating System）を、単に「ＯＳ」と記載する。なお、ＯＳとは、ハードウエアの抽象化、資源の管理、資源割り当ての工夫によるコンピュータの利用効率の向上を目的として、ハードウエアを抽象化したインターフェースをアプリケーションソフトウエアに提供するソフトウエアであり、システムソフトウエアの一種である。また、ファームウエア (Firmware) とは、電子機器に組み込まれたコンピュータシステム（ハードウエア）を制御するためのソフトウエアで、ソフトウエアをROM等のLSIなどに書き込んだ状態で、機器に組み込んだものを意味する。
【００４７】
制御部１０１は、プロセッサ等の電子機器部分であるハードウエア１０１１と、各種動作の基盤となるべくハードウエア１０１１上で動作するＯＳ１０１２と、ハードウエア資源（ハードウエア１０１１、通信部１０２、操作表示部１０５、データ蓄積部１３０、画像処理部１５０、画像形成部１６０等）を用いて画像形成に係わる処理を行う装置制御ファームウエア１０１３と、後述するカスタマイズ可能表示画面の表示を制御するウェブ表示画面アプリケーション１０１４と、を備えた状態を基本状態として構成されている。
【００４８】
ここで、装置制御ファームウエア１０１３は、ハードウエア資源を用いて画像形成に係わる制御をすることに加え、画像形成に関する操作表示部１０５における状態表示や指示受付用表示のために用意されている「既定表示画面」を表示するように制御する。
【００４９】
また、ウェブ表示画面アプリケーション１０１４は、ＯＳ１０１２上で動作し、表示画面を制御可能なアプリケーションプログラムの一種である。そして、ウェブ表示画面アプリケーション１０１４は、任意にカスタマイズ可能であって操作表示部１０５における状態表示や指示受付用表示のためのカスタマイズ可能表示画面を、装置制御ファームウエア１０１３とは別プロセスにより制御する。このカスタマイズ可能表示画面は、マークアップ言語が使用された記述に基づいて描画され、ウェブブラウザを介して表示され、任意にカスタマイズすることが可能な表示画面である。
【００５０】
なお、カスタマイズ可能表示画面は、接続部１０４に挿抜可能に接続される外部記憶装置に記憶されたデータとしてのマークアップ言語に基づいて、ウェブ表示画面アプリケーション１０１４により生成される。
【００５１】
具体的には、カスタマイズ可能表示画面は、ＨＴＭＬ、ＸＭＬ、ＳＧＭＬ、ＸＨＴＭＬなどのマークアップ言語で記述されて作成され、ウェブ表示画面アプリケーション１０１４によりウェブブラウザを介して操作表示部１０５に表示される。なお、ウェブ表示画面アプリケーション１０１４は、ウェブブラウザと共にJavascript（商標）等を用いて、装置制御ファームウエア１０１３と通信を行うことができる。
【００５２】
また、カスタマイズ可能表示画面と既定表示画面とは、画面表示要求や画面番号の指定互いに切り替えることが可能である。図５は既定表示画面１０５Ｇａ１の一例である。ここで、カスタムＵＩ機能としてのサービスアシスタントツール（図５（１））が指定されると、図６のカスタマイズ可能表示画面１０５Ｇａ２に切り替わる。
【００５３】
そして、この図６のカスタマイズ可能表示画面１０５Ｇａ２中の（２）ガンマ自動調整が指定されると、画面番号によって図７の既定表示画面１０５Ｇａ３に切り替わる。同様に、図６中の（３）テストパターン出力モードが指定されると、画面番号によって既定表示画面（図示せず）に切り替わる。
【００５４】
また、この図７中の閉じるボタン（５）が指定されると、カスタマイズ可能表示画面１０５Ｇａ３が閉じて、既定表示画面１０５Ｇａ１（図５）に表示が切り替わる。
また、図８のカスタマイズ可能表示画面１０５Ｇａ４においてユニット電源オンボタン（図８（６））が指定されると、ウェブ表示画面アプリケーション１０１４からの指示により各ユニットに電源が供給される。また、図８のカスタマイズ可能表示画面１０５Ｇａ４においてユニット電源オフボタン（図８（７））が指定されると、ウェブ表示画面アプリケーション１０１４からの指示により各ユニットへの電源が遮断される。
【００５５】
〔画像形成装置、画像形成システム、画像形成制御方法における前提条件〕
なお、ここで、ウェブ表示画面アプリケーション１０１４によるカスタマイズ可能表示画面として、画像形成装置１００のメンテナンス作業における手順を表示する場合を具体例にして説明する。
【００５６】
ここで、画像形成装置１００のメンテナンス作業としては、例えば、画質不良の場合には、ガンマ調整、カラーレジスト調整、トナー濃度調整など、画像形成装置１００の多くの調整機能を用いて対応を行う必要がある。
【００５７】
従来から、このメンテナンス作業は画像形成装置１００の修理を行うエンジニアに対して公開されている。但し、障害復旧手順内で作業を必要となる調整画面が多岐にわたるため、各調整画面での操作手順をマニュアルに沿って確認する作業が非常に煩雑であるという問題がある。
【００５８】
この問題に対して、メンテナンス作業に必要な機能を実行するための画面を一箇所にまとめた画面を、装置制御ファームウエア１０１３により管理される既定表示画面として作成しておくことで、操作性を改善するという手法が考えられる。
【００５９】
しかし、この手法では、メンテナンス作業の内容を変更すると、既定表示画面を変更する必要が生じ、これにより装置制御ファームウエア１０１３の更新が必要になるという問題がある。
【００６０】
そこで、装置制御ファームウエア１０１３を更新すること無く障害復旧手順の変更に対応するためには、ウェブ表示画面アプリケーション１０１４によるカスタマイズ可能表示画面を用いて、メンテナンス作業の手順を示す画面を集約するという手法が考えられる。
【００６１】
〔画像形成装置や画像形成システムの動作、画像形成制御方法の手順〕
以下、図９以降のフローチャートや各種画面説明図等を使用して、画像形成装置１００や画像形成システムの動作、画像形成制御方法の手順についての説明を行う。なお、この実施形態では、カスタマイズ可能表示画面として、画像形成装置１００のメンテナンス作業手順を表示する場合を具体例にして説明する。
【００６２】
〔基本動作〕
まず、図９のフローチャートを参照して基本動作を説明する。
制御部１０１は、画像形成装置１００の動作開始に合わせて、装置制御ファームウエア１０１３により管理されている既定表示画面を操作表示部１０５に表示している。なお、この既定表示画面は、画像形成装置１００の動作状態に合わせて各種の表示内容となるように予め作成されて装置制御ファームウエア１０１３により管理されている。また、制御部１０１は、操作表示部１０５を介してオペレータの操作を受け付けている。
【００６３】
ここで、画像形成装置１００の接続部１０４にＵＳＢメモリ等の外部記憶装置が接続される（図９中のステップＳ１０１）。
ここで、制御部１０１は接続部１０４に対する外部記憶装置の接続を検知し、操作表示部１０５に表示されている既定表示画面中にカスタムＵＩ機能開始ボタンを表示する（図５（１）「サービスアシスタントツール」ボタン参照）。これに対応して、ユーザは、カスタムＵＩ機能の開始ボタン（「サービスアシスタントツール」のボタン）を押下する（図９中のステップＳ１０２）。
【００６４】
ここで、制御部１０１は接続された外部記憶装置内に存在するカスタムＵＩデータを読み込む。このカスタムＵＩデータに基づいて、ウェブ表示画面アプリケーション１０１４が操作表示部１０５にカスタマイズ可能表示画面を表示する（図９中のステップＳ１０３）。
【００６５】
このカスタマイズ可能表示画面においてユーザから既定表示画面の指定が発生すれば、装置制御ファームウエア１０１３が既定表示画面を操作表示部１０５に表示する（図９中のステップＳ１０５でＹＥＳ、Ｓ１１１）。
【００６６】
また、既定表示画面を閉じる指示が行われた際には、装置制御ファームウエア１０１３は既定表示画面を閉じ、ウェブ表示画面アプリケーション１０１４がカスタマイズ可能表示画面を表示する（図９中のステップＳ１１２，Ｓ１０３）。
【００６７】
また、カスタマイズ可能表示画面から特定のユニットの電源状況変更指示（図８参照）が行われた際には、指定された特定のユニットの電源状況を制御部１０１が変更する（図９中のステップＳ１０６でＹＥＳ、Ｓ１２１）。なお、このとき特定のユニットとは、交換を必要とする画像形成プロセスユニット(感光体、定着器など)を指す。
【００６８】
また、カスタマイズ可能表示画面で、カスタムＵＩ機能終了ボタンが押下された場合にはカスタマイズ可能表示画面によるカスタムＵＩ機能を終了し、当初の既定表示画面に戻る（図９中のステップＳ１０４でＹＥＳ、エンド）。
【００６９】
〔特徴動作（１）〕
ここで、図１０のフローチャートを参照して特徴動作（１）を説明する。なお、この図１０の特徴動作（１）は、前述した図９の基本動作中で定期的に動作するサブルーチンに相当する。
【００７０】
制御部１０１は、画像形成装置１００の動作開始に合わせて、装置制御ファームウエア１０１３により管理されている既定表示画面を操作表示部１０５に表示している。なお、この既定表示画面は、画像形成装置１００の動作状態に合わせて各種の表示内容となるように予め作成されて装置制御ファームウエア１０１３により管理されている。また、制御部１０１は、操作表示部１０５を介してオペレータの操作を受け付けている。
【００７１】
ここで、画像形成装置１００の接続部１０４にＵＳＢメモリ等の外部記憶装置が接続される（図１０中のステップＳ２０１）。
ここで、制御部１０１は接続部１０４に対する外部記憶装置の接続を検知し、操作表示部１０５に表示されている既定表示画面中にカスタムＵＩ機能開始ボタンを表示する（図５（１）「サービスアシスタントツール」ボタン参照）。これに対応して、ユーザは、カスタムＵＩ機能の開始ボタン（「サービスアシスタントツール」のボタン）を押下する（図１０中のステップＳ２０２）。
【００７２】
ここで、制御部１０１は接続された外部記憶装置内に存在するカスタムＵＩデータを読み込む。このカスタムＵＩデータに基づいて、ウェブ表示画面アプリケーション１０１４が操作表示部１０５にカスタマイズ可能表示画面を表示する（図１０中のステップＳ２０３）。
【００７３】
このとき、制御部１０１は、接続部１０４から外部記憶装置が取り外されたことを検知するか、あるいは、外部記憶装置内のデータが破損して正常に読めないことを、状態変化として検知する（図１０中のステップＳ２０４）。
【００７４】
この時点で、制御部１０１は、画像形成装置１００内の各ユニット、画像形成システム内の各ユニットの電源状況（各ユニットが電源オンであるか、電源オフであるか）をチェックする（図１０中のステップＳ２０５）。
【００７５】
全てのユニットの電源状況を調べ、全て電源がオンであれば、ウェブ表示画面アプリケーション１０１４はカスタマイズ可能表示画面を閉じてカスタムＵＩ機能を終了する（図１０中のステップＳ２１０）。
【００７６】
ここで、電源オフのユニットが存在する場合は、ウェブ表示画面アプリケーション１０１４は、電源がオフ状態のユニットの電源をオンにする指示を行う為のボタンを表示すると共に、電源をオンにする必要があるユニットが存在することを、カスタマイズ可能表示画面（図１１）を介してユーザに通知する（図１０中のステップＳ２０６，Ｓ２０７）。
【００７７】
このとき、ユーザへの通知及び電源オンする指示を行うためのカスタマイズ可能表示画面を生成するＵＩデータは、画像形成装置１００内の記憶部１０３等に用意しておき、読み込んで表示を行っても良い。また、図１２のように、既定表示画面側に用意しておき表示を行っても良い。
【００７８】
カスタマイズ可能表示画面を介してユーザからユニットの電源変更指示が行われた際には、指定のユニットの電源状況をオンにできる状態か制御部１０１がを判断する（図１０中のステップＳ２０８）。
【００７９】
ここで、電源オンにできる状態の場合は、指定のユニットの電源をオンに制御する（図１０中のステップＳ２０８でＹＥＳ、Ｓ２０９）。このとき電源をオンにできる状態とは、指定のユニットが取り外されておらず、電源コネクタ等も抜けていないこと等を指す。
【００８０】
一方、指定のユニットの電源をオンにできない場合は、ウェブ表示画面アプリケーション１０１４はカスタマイズ可能表示画面（図１３）を用いて、電源オンできない原因をユーザに通知する（図１０中のステップＳ２１１）。このとき、原因を取り除く解除方法（ユニットの取り付け、コネクタの接続方法）を操作部パネルに表示しても良い（図１０中のステップＳ２１２）。
【００８１】
このとき、ユーザへの通知及び電源オンできない原因を通知するためのカスタマイズ可能表示画面を生成するＵＩデータは、画像形成装置１００内の記憶部１０３等に用意しておき、読み込んで表示を行っても良い。また、図１４のように、既定表示画面側に用意しておき表示を行っても良い。
【００８２】
全てのユニットの電源状況を調べ、全て電源がオンになっていれば、ウェブ表示画面アプリケーション１０１４はカスタマイズ可能表示画面を閉じてカスタムＵＩ機能を終了する（図１０中のステップＳ２１０）。
【００８３】
以上のようにすることで、メンテナンス等のカスタマイズ可能表示画面経由の制御において、不正な電源状況での作業を防止して、メンテナンス時のチャート出力やメンテナンス後の通常使用に悪影響を与えることがなくなる。
【００８４】
〔特徴動作（２）〕
ここで、図１５のフローチャートを参照して特徴動作（２）を説明する。なお、この図１５の特徴動作（２）は、前述した図９の基本動作の変形例に相当する。
【００８５】
制御部１０１は、画像形成装置１００の動作開始に合わせて、装置制御ファームウエア１０１３により管理されている既定表示画面を操作表示部１０５に表示している。なお、この既定表示画面は、画像形成装置１００の動作状態に合わせて各種の表示内容となるように予め作成されて装置制御ファームウエア１０１３により管理されている。また、制御部１０１は、操作表示部１０５を介してオペレータの操作を受け付けている。
【００８６】
ここで、画像形成装置１００の接続部１０４にＵＳＢメモリ等の外部記憶装置が接続される（図１５中のステップＳ１０１）。
ここで、制御部１０１は接続部１０４に対する外部記憶装置の接続を検知し、操作表示部１０５に表示されている既定表示画面中にカスタムＵＩ機能開始ボタンを表示する（図５（１）「サービスアシスタントツール」ボタン参照）。これに対応して、ユーザは、カスタムＵＩ機能の開始ボタン（「サービスアシスタントツール」のボタン）を押下する（図１５中のステップＳ１０２ａ）。
【００８７】
この時点で、制御部１０１は、画像形成装置１００内の各ユニット、画像形成システム内の各ユニットの電源状況（各ユニットが電源オンであるか、電源オフであるか）をチェックする（図１５中のステップＳ１０２ｂ）。
【００８８】
全てのユニットの電源状況を調べ、全て電源がオンであれば（図１５中のステップＳ１０２ｂでＮＯ）、制御部１０１は接続された外部記憶装置内に存在するカスタムＵＩデータを読み込む。このカスタムＵＩデータに基づいて、ウェブ表示画面アプリケーション１０１４が操作表示部１０５にカスタマイズ可能表示画面を表示する（図１５中のステップＳ１０３）。
【００８９】
このカスタマイズ可能表示画面においてユーザから既定表示画面の指定が発生すれば、装置制御ファームウエア１０１３が既定表示画面を操作表示部１０５に表示する（図１５中のステップＳ１０５でＹＥＳ、Ｓ１１１）。
【００９０】
また、既定表示画面を閉じる指示が行われた際には、装置制御ファームウエア１０１３は既定表示画面を閉じ、ウェブ表示画面アプリケーション１０１４がカスタマイズ可能表示画面を表示する（図１５中のステップＳ１１２，Ｓ１０３）。
【００９１】
また、カスタマイズ可能表示画面から特定のユニットの電源状況変更指示（図８参照）が行われた際には、指定された特定のユニットの電源状況を制御部１０１が変更する（図１５中のステップＳ１０６でＹＥＳ、Ｓ１２１）。なお、このとき特定のユニットとは、交換を必要とする画像形成プロセスユニット(感光体、定着器など)を指す。
【００９２】
また、カスタマイズ可能表示画面で、カスタムＵＩ機能終了ボタンが押下された場合には（図１５中のステップＳ１０４ａでＹＥＳ）、制御部１０１は、画像形成装置１００内の各ユニット、画像形成システム内の各ユニットの電源状況（各ユニットが電源オンであるか、電源オフであるか）をチェックする（図１５中のステップＳ１０４ｂ）。全てのユニットの電源状況を調べ、全て電源がオンであれば（図１５中のステップＳ１０４ｂでＮＯ）、カスタマイズ可能表示画面によるカスタムＵＩ機能を終了し、当初の既定表示画面に戻る（図１５中のエンド）。
【００９３】
なお、カスタムＵＩ機能開始時において、全てのユニットの電源状況を調べ、いずれかのユニットの電源がオフであれば（図１５中のステップＳ１０２ｂでＹＥＳ）、制御部１０１は電源オン処理（図１５中のステップＳ１０２ｃ）を実行する。
【００９４】
同様に、カスタムＵＩ機能終了時において、全てのユニットの電源状況を調べ、いずれかのユニットの電源がオフであれば（図１５中のステップＳ１０４ｂでＹＥＳ）、制御部１０１は電源オン処理（図１５中のステップＳ１０４ｃ）を実行する。
【００９５】
ここで、電源オフのユニットが存在する場合は、ウェブ表示画面アプリケーション１０１４は、電源がオフ状態のユニットの電源をオンにする指示を行う為のボタンを表示すると共に、電源をオンにする必要があるユニットが存在することを、カスタマイズ可能表示画面（図１１参照）を介してユーザに通知する（図１６中のステップＳ３０１，Ｓ３０２）。
【００９６】
このとき、ユーザへの通知及び電源オンする指示を行うためのカスタマイズ可能表示画面を生成するＵＩデータは、画像形成装置１００内の記憶部１０３等に用意しておき、読み込んで表示を行っても良い。また、図１２のように、既定表示画面側に用意しておき表示を行っても良い。
【００９７】
カスタマイズ可能表示画面を介してユーザからユニットの電源変更指示が行われた際には、指定のユニットの電源状況をオンにできる状態か制御部１０１がを判断する（図１６中のステップＳ３０３）。
【００９８】
ここで、電源オンにできる状態の場合は、指定のユニットの電源をオンに制御する（図１６中のステップＳ３０３でＹＥＳ、Ｓ３０４）。このとき電源をオンにできる状態とは、指定のユニットが取り外されておらず、電源コネクタ等も抜けていないこと等を指す。
【００９９】
一方、指定のユニットの電源をオンにできない場合は、ウェブ表示画面アプリケーション１０１４はカスタマイズ可能表示画面（図１３）を用いて、電源オンできない原因をユーザに通知する（図１６中のステップＳ３１１）。このとき、原因を取り除く解除方法（ユニットの取り付け、コネクタの接続方法）を操作部パネルに表示しても良い（図１６中のステップＳ３１２）。
【０１００】
このとき、ユーザへの通知及び電源オンできない原因を通知するためのカスタマイズ可能表示画面を生成するＵＩデータは、画像形成装置１００内の記憶部１０３等に用意しておき、読み込んで表示を行っても良い。また、図１４のように、既定表示画面側に用意しておき表示を行っても良い。
【０１０１】
全てのユニットの電源状況を調べ、全て電源がオンになっていれば、ウェブ表示画面アプリケーション１０１４は、図１６の電源オン処理（図１５中のステップＳ１０２ｃ、Ｓ１０４ｃ）を終了して、図１５のメインルーチンに戻り処理を続ける。すなわち、カスタムＵＩ機能の開始時であればカスタマイズ可能表示画面による処理（図１５中のステップＳ１０３〜）を続行し、カスタムＵＩ機能の終了時であればカスタマイズ可能表示画面による処理を終了する（図１５中のエンド）。
【０１０２】
なお、電源オン処理（図１５中のステップＳ１０２ｃ、Ｓ１０４ｃ）をバックグランドで実行しつつ、次の処理を進めるようにしても良い。
以上のようにすることで、メンテナンス等のカスタマイズ可能表示画面経由の制御において、不正な電源状況での作業を防止して、メンテナンス時のチャート出力やメンテナンス後の通常使用に悪影響を与えることがなくなる。
【０１０３】
〔特徴動作（３）〕
ここで、図１７のフローチャートを参照して特徴動作（３）を説明する。なお、この図１７の特徴動作（３）は、前述した図９の基本動作中で定期的に動作するサブルーチンに相当する。
【０１０４】
制御部１０１は、画像形成装置１００の動作開始に合わせて、装置制御ファームウエア１０１３により管理されている既定表示画面を操作表示部１０５に表示している。なお、この既定表示画面は、画像形成装置１００の動作状態に合わせて各種の表示内容となるように予め作成されて装置制御ファームウエア１０１３により管理されている。また、制御部１０１は、操作表示部１０５を介してオペレータの操作を受け付けている。
【０１０５】
ここで、画像形成装置１００の接続部１０４にＵＳＢメモリ等の外部記憶装置が接続される（図１７中のステップＳ５０１）。
ここで、制御部１０１は接続部１０４に対する外部記憶装置の接続を検知し、操作表示部１０５に表示されている既定表示画面中にカスタムＵＩ機能開始ボタンを表示する（図５（１）「サービスアシスタントツール」ボタン参照）。これに対応して、ユーザは、カスタムＵＩ機能の開始ボタン（「サービスアシスタントツール」のボタン）を押下する（図１７中のステップＳ５０２）。
【０１０６】
ここで、制御部１０１は、画像形成装置１００内やや画像形成システム内に存在する各ユニットの電源がオンであるかオフであるかの状況を調べて記憶部１０３等に保存する（図１７中のステップＳ５０３）。このとき各ユニットの電源状況とは、例えば定着器は電源オン、感光体は電源オフ、などと、独立して電源の制御が可能な単位で調べて保存する。
【０１０７】
ここで、制御部１０１は接続された外部記憶装置内に存在するカスタムＵＩデータを読み込む。このカスタムＵＩデータに基づいて、ウェブ表示画面アプリケーション１０１４が操作表示部１０５にカスタマイズ可能表示画面を表示する（図１７中のステップＳ５０４）。
【０１０８】
このとき、制御部１０１は、接続部１０４から外部記憶装置が取り外されたことを検知するか、あるいは、外部記憶装置内のデータが破損して正常に読めないことを、状態変化として検知する（図１７中のステップＳ５０５）。
【０１０９】
この時点で、制御部１０１は、画像形成装置１００内の各ユニット、画像形成システム内の各ユニットの電源状況（各ユニットが電源オンであるか、電源オフであるか）が、開始時に保存しておいた電源状況と一致しているか否かをチェックする（図１７中のステップＳ５０６）。
【０１１０】
全てのユニットの電源状況を調べ、全てが開始時の状況と一致していれば（図１７中のステップＳ５０６でＮＯ）、ウェブ表示画面アプリケーション１０１４はカスタマイズ可能表示画面を閉じてカスタムＵＩ機能を終了する（図１７中のステップＳ５０８、エンド）。
【０１１１】
ここで、開始時と電源状況が一致しないユニットが存在する場合は（図１７中のステップＳ５０６でＹＥＳ）、制御部１０１は電源制御処理（図１７中のステップＳ５０７、図１８）を実行する。
【０１１２】
ここで、電源状況を変更する必要があるユニットが存在する場合は、ウェブ表示画面アプリケーション１０１４は、電源がオフ状態のユニットの電源を変更する指示を行う為のボタンを表示すると共に、電源を変更する必要があるユニットが存在することを、カスタマイズ可能表示画面（図１１参照）を介してユーザに通知する（図１８中のステップＳ６０１，Ｓ６０２）。
【０１１３】
このとき、ユーザへの通知及び電源を変更する指示を行うためのカスタマイズ可能表示画面を生成するＵＩデータは、画像形成装置１００内の記憶部１０３等に用意しておき、読み込んで表示を行っても良い。また、図１２のように、既定表示画面側に用意しておき表示を行っても良い。
【０１１４】
カスタマイズ可能表示画面を介してユーザからユニットの電源変更指示が行われた際には、指定のユニットの電源状況を変更できる状態か制御部１０１がを判断する（図１８中のステップＳ６０３）。
【０１１５】
ここで、電源状況を変更できる状態の場合は、指定のユニットの電源を変更するように制御する（図１８中のステップＳ６０３でＹＥＳ、Ｓ６０４）。このとき電源を変更できる状態とは、指定のユニットが取り外されておらず、電源コネクタ等も抜けていないこと等を指す。
【０１１６】
一方、指定のユニットの電源を変更にできない場合は、ウェブ表示画面アプリケーション１０１４はカスタマイズ可能表示画面（図１３）を用いて、電源を変更できない原因をユーザに通知する（図１８中のステップＳ６１１）。このとき、原因を取り除く解除方法（ユニットの取り付け、コネクタの接続方法）を操作部パネルに表示しても良い（図１８中のステップＳ６１２）。
【０１１７】
このとき、ユーザへの通知及び電源を変更できない原因を通知するためのカスタマイズ可能表示画面を生成するＵＩデータは、画像形成装置１００内の記憶部１０３等に用意しておき、読み込んで表示を行っても良い。また、図１４のように、既定表示画面側に用意しておき表示を行っても良い。
【０１１８】
全てのユニットの電源状況を調べ、全て電源が開始時と同じになっていれば、ウェブ表示画面アプリケーション１０１４は、図１８の電源制御処理（図１７中のステップＳ５０７）を終了して、図１７のメインルーチンに戻り処理を続ける。すなわち、カスタムＵＩ機能の終了時としてカスタマイズ可能表示画面による処理を終了する（図１７中のエンド）。なお、電源制御処理（図１７中のステップＳ５０８）をバックグランドで実行しつつ、終了処理を進めるようにしても良い。
【０１１９】
なお、以上の説明のステップＳ５０５では、状態変化として、外部記憶装置の引き抜きやデータ破損を具体例にしたが、これに限定されず、カスタマイズ可能表示画面の終了の指示の場合にも適用できる。
【０１２０】
以上のようにすることで、メンテナンス等のカスタマイズ可能表示画面経由の制御において、開始時と終了時で各ユニットの電源状況を一致させることができ、メンテナンス時のチャート出力やメンテナンス後の通常使用に悪影響を与えることがなくなる。また、開始時に何らかの意図により電源オフであったユニットを、カスタマイズ可能表示画面による作業の終了時にもオフのままにすることで、各ユニットや装置全体の状態を当初と一致させるため、意図的な何らかの状態にも対応することができるようになる。
【０１２１】
〔その他の実施形態（１）〕
以上の説明で制御部１０１が各種の制御を行うとしていたが、これに限定されるものではない。たとえば、画像形成装置１００外部のコンピュータが画像形成制御装置として、既定表示画面とカスタマイズ可能表示画面とを生成し、表示することも可能である。
【０１２２】
〔その他の実施形態（２）〕
以上の実施形態では、カスタマイズ可能表示画面を用いてメンテナンス作業等を行うとしていたが、これに限定されるものではない。例えば、通常の画像形成の作業内での別の割り込み作業などに適用することも可能である。
【０１２３】
以上の説明では、ＯＳ１０１２上で装置制御ファームウエア１０１３とウェブ表示画面アプリケーション１０１４が独立して別プロセスで動作していたが、これに限定されるものではない。
【０１２４】
例えば、装置制御ファームウエア１０１３内に、既定表示画面の制御機能部とは独立して別タスクで動作する状態のウェブ表示画面の制御機能部を設け、このウェブ表示画面の制御機能部が、ＸＭＬ等のマークアップ言語による記述に基づいて、カスタマイズ可能表示画面を描画するようにしても良い。
【０１２５】
〔その他の実施形態（３）〕
以上の説明では、既定表示画面とカスタマイズ可能表示画面とを操作表示部１０５の表示画面に表示する場合を想定していたが、これに限定されるものではない。
【０１２６】
例えば、既定表示画面の画面データやカスタマイズ可能表示画面の画面データを、画像形成装置１００から通信部１０２を介して外部機器の表示部に対して出力し、リモートパネルとしての表示を行うことが可能である。なお、障害復旧手順の場合には、オペレータが所持する表示するタブレット型コンピュータに表示できることが望ましい。
【符号の説明】
【０１２７】
１００  画像形成装置
１０１  制御部
１０２  通信部
１０３  記憶部
１０５  操作表示部
１２０  スキャナ部
１３０  データ蓄積部
１５０  画像処理部
１６０  画像形成部
１０１１  ハードウエア
１０１２  オペレーティングシステム
１０１３  装置制御ファームウエア
１０１４  ウェブ表示画面アプリケーション
【図１】
2015202605.tif 000003
【図２】
2015202605.tif 000004
【図３】
2015202605.tif 000005
【図４】
2015202605.tif 000006
【図９】
2015202605.tif 000007
【図１０】
2015202605.tif 000008
【図１５】
2015202605.tif 000009
【図１６】
2015202605.tif 000010
【図１７】
2015202605.tif 000011
【図１８】
2015202605.tif 000012
【図５】
2015202605.tif 000013
【図６】
2015202605.tif 000014
【図７】
2015202605.tif 000015
【図８】
2015202605.tif 000016
【図１１】
2015202605.tif 000017
【図１２】
2015202605.tif 000018
【図１３】
2015202605.tif 000019
【図１４】
2015202605.tif 000020